(57)【要約】本発明は、伝動ローラ並びにそれを有するピン歯サイクロイド減速機および軸受を提供する。前記伝動ローラは、スチールベルトまたはスチールワイヤを螺旋状に密に巻き付けて形成された中空ローラを備え、前記中空ローラのその軸方向に沿う両端が押圧されたときに、前記中空ローラの長さは、変化しない。伝動ローラは、外部圧力を受けたときに、端部が破損しにくいとともに、使用中に軸方向の中心部に向かう変形が生じないため、使用寿命が長くなる。
2021517954.tif 000002
【特許請求の範囲】
【請求項１】
サイクロイドディスクと、サイクロイドディスクの外側を周回するピン歯ハウジングと、サイクロイドディスクとピン歯ハウジングとの間に介在したピン歯ユニットとを備えるピン歯サイクロイド減速機であって、前記ピン歯ユニットが、ピン歯ハウジングの内側円周方向に沿って均一に分布した伝動ローラを複数有するピン歯サイクロイド減速機において、
前記伝動ローラは、スチールベルトまたはスチールワイヤを螺旋状に密に巻き付けて形成された中空ローラを備え、前記中空ローラのその軸方向に沿う両端が押圧されたときに、前記中空ローラの長さは、変化しないことを特徴とするピン歯サイクロイド減速機。
【請求項２】
前記中空ローラの管壁の厚さは、前記中空ローラの外径の１／４〜１／６であることを特徴とする請求項１に記載のピン歯サイクロイド減速機。
【請求項３】
前記中空ローラの外径は、１．５ｍｍ〜１０ｍｍであることを特徴とする請求項１に記載のピン歯サイクロイド減速機。
【請求項４】
前記伝動ローラは、前記中空ローラ内に位置する内芯体を更に備え、前記中空ローラの内壁面と前記内芯体の外壁面との間には、中空ローラを弾性変形させる隙間が設けられていることを特徴とする請求項１に記載のピン歯サイクロイド減速機。
【請求項５】
前記内芯体は、中実柱体または螺旋ばねであることを特徴とする請求項４に記載のピン歯サイクロイド減速機。
【請求項６】
前記内芯体は、螺旋ばねであり、前記螺旋ばねと前記スチールベルトまたは前記スチールワイヤとの螺旋方向は、逆であることを特徴とする請求項５に記載のピン歯サイクロイド減速機。
【請求項７】
前記伝動ローラは、前記中空ローラと前記内芯体とを接着するための弾性接着剤を更に備えることを特徴とする請求項４に記載のピン歯サイクロイド減速機。
【請求項８】
伝動装置に用いられる伝動ローラであって、
前記伝動ローラは、スチールベルトまたはスチールワイヤを螺旋状に密に巻き付けて形成された中空ローラを備え、前記中空ローラのその軸方向に沿う両端が押圧されたときに、前記中空ローラの長さは、変化しないことを特徴とする伝動ローラ。
【請求項９】
前記中空ローラの管壁の厚さは、前記中空ローラの外径の１／４〜１／６であることを特徴とする請求項８に記載の伝動ローラ。
【請求項１０】
前記中空ローラの外径は、１．５ｍｍ〜１０ｍｍであることを特徴とする請求項８に記載の伝動ローラ。
【請求項１１】
前記伝動ローラは、前記中空ローラ内に位置する内芯体を更に備え、前記中空ローラの内壁面と前記内芯体の外壁面との間には、中空ローラを弾性変形させる隙間が設けられていることを特徴とする請求項８に記載の伝動ローラ。
【請求項１２】
前記内芯体は、中実柱体または螺旋ばねであることを特徴とする請求項１１に記載の伝動ローラ。
【請求項１３】
前記内芯体は、螺旋ばねであり、前記螺旋ばねと前記スチールベルトまたは前記スチールワイヤとの螺旋方向は、逆であることを特徴とする請求項１２に記載の伝動ローラ。
【請求項１４】
前記伝動ローラは、前記中空ローラと前記内芯体とを接着するための弾性接着剤を更に備えることを特徴とする請求項１１に記載の伝動ローラ。
【請求項１５】
間隔を空けて設けられる外軸受輪と内軸受輪、および、外軸受輪と内軸受輪の間に均一に設けられる複数のローラを備える軸受であって、
前記ローラは、請求項８から１４の何れか一項に記載の伝動ローラであることを特徴とする軸受。
【発明の詳細な説明】
【技術分野】
【０００１】
本発明は、機械分野に関し、特に圧力を受けたときに破損しにくく、使用寿命が長い伝動ローラ並びに当該伝動ローラを有するピン歯サイクロイド減速機及び軸受に関する。
【背景技術】
【０００２】
機械分野では、ピン歯サイクロイド減速機、軸受等の伝動装置に伝動ローラがよく用いられている。伝統的な伝動ローラは中実ローラであり、伝動装置の使用環境が悪いと過負荷問題が頻繁に発生する可能性がある。さらに、中実ローラも不必要な余計負荷を受け、摩耗が異常に増加し、ひいては破壊されてしまうことがある。これは、現在の伝動装置の生産に普通に存在する共通の問題点でもある。組み立てられたばかりの新機は、精度が良好であるが、しばらく使用されると、精度が大きく低減し、潤滑油が急速に黒くなり、精度保持時間が短すぎて、要求を満たすのにあまりに不十分である。
【０００３】
このような窮地を解決すべく、現在国内で採用される主な措置としては、加工精度および組立精度を更に高め、全面的に輸入原品へ近づくよう努力している。精度を高める主な措置は、より高度な、主に輸入された加工機器を使用することである。しかし、事実から証明できるように、このやり方だけでは目的を果たすことができず、これによる生産コストも高価であり、将来実際の商品化をする際に海外製品と競争し得る能力を持たせるか否かは疑わしい。
【０００４】
また、伝統的な中実ローラの替わりに、弾性を有する中空ローラを伝動装置に導入して、加工誤差、動作摩耗等の原因による不良問題を弾性補償によって補うことも提案されている。実践から証明できるように、中空ローラが圧力を受けたときに僅かに変形収縮可能であるため、伝動装置の部品間が加工誤差や組立の不正確さによって過剰な締り嵌めとなることは回避され、または摩耗による過大な隙間は補償される。よって、弾性補償は、確実に加工精度の要求を低減可能であり、摩耗を減少し、伝動装置の使用寿命を著しく延長し、精度を保持する。
【０００５】
しかし、伝動装置の動作条件が著しく悪化する可能性があり、過負荷衝撃等の状況が頻繁に発生することを考慮し、如何にして弾性を有する中空ローラの耐圧能力を一層強化してその使用寿命を延長するかは、伝動装置の寿命を延長するもう１つの技術的チャレンジとなっている。
【０００６】
これに鑑みて、上記技術問題を解決するために、新たな伝動ローラ並びに当該伝動ローラを有するピン歯サイクロイド減速機及び軸受を提供する必要が生じる。
【発明の概要】
【発明が解決しようとする課題】
【０００７】
本発明の目的は、圧力を受けたときに破損しにくく、使用寿命が長い伝動ローラ並びに当該伝動ローラを有するピン歯サイクロイド減速機及び軸受を提供することにある。
【課題を解決するための手段】
【０００８】
上記発明の目的を果たすべく、本発明は、ピン歯サイクロイド減速機を提供する。前記ピン歯サイクロイド減速機は、サイクロイドディスクと、サイクロイドディスクの外側を周回するピン歯ハウジングと、サイクロイドディスクとピン歯ハウジングとの間に介在したピン歯ユニットとを備え、前記ピン歯ユニットは、ピン歯ハウジングの内側円周方向に沿って均一に分布した伝動ローラを複数備え、前記伝動ローラは、スチールベルトまたはスチールワイヤを螺旋状に密に巻き付けて形成された中空ローラを備え、前記中空ローラのその軸方向に沿う両端が押圧されたときに、前記中空ローラの長さは、変化しない。
【０００９】
本発明の更なる改良として、前記中空ローラの管壁の厚さは、前記中空ローラの外径の１／４〜１／６である。
【００１０】
本発明の更なる改良として、前記中空ローラの外径は、１．５ｍｍ〜１０ｍｍである。
【００１１】
本発明の更なる改良として、前記伝動ローラは、前記中空ローラ内に位置する内芯体を更に備え、前記中空ローラの内壁面と前記内芯体の外壁面との間には、中空ローラを弾性変形させる隙間が設けられている。
【００１２】
本発明の更なる改良として、前記内芯体は、中実柱体または螺旋ばねである。
【００１３】
本発明の更なる改良として、前記内芯体は、螺旋ばねであり、前記螺旋ばねと前記スチールベルトまたは前記スチールワイヤとの螺旋方向は、逆である。
【００１４】
本発明の更なる改良として、前記伝動ローラは、前記中空ローラと前記内芯体とを接着するための弾性接着剤を更に備える。
【００１５】
上記発明目的を果たすべく、本発明は、伝動装置に用いられる伝動ローラを更に提供する。前記伝動ローラは、スチールベルトまたはスチールワイヤを螺旋状に密に巻き付けて形成された中空ローラを備え、前記中空ローラのその軸方向に沿う両端が押圧されたときに、前記中空ローラの長さは、変化しない。
【００１６】
本発明の更なる改良として、前記中空ローラの管壁の厚さは、前記中空ローラの外径の１／４〜１／６である。
【００１７】
本発明の更なる改良として、前記中空ローラの外径は、１．５ｍｍ〜１０ｍｍである。
【００１８】
本発明の更なる改良として、前記伝動ローラは、前記中空ローラ内に位置する内芯体を更に備え、前記中空ローラの内壁面と前記内芯体の外壁面との間には、中空ローラを弾性変形させる隙間が設けられている。
【００１９】
本発明の更なる改良として、前記内芯体は、中実柱体または螺旋ばねである。
【００２０】
本発明の更なる改良として、前記内芯体は、螺旋ばねであり、前記螺旋ばねと前記スチールベルトまたは前記スチールワイヤとの螺旋方向は、逆である。
【００２１】
本発明の更なる改良として、前記伝動ローラは、前記中空ローラと前記内芯体とを接着するための弾性接着剤を更に備える。
【００２２】
上記発明目的を果たすべく、本発明は、軸受を更に提供する。前記軸受は、間隔を空けて設けられる外軸受輪と内軸受輪、および、外軸受輪と内軸受輪の間に均一に設けられる複数の上記伝動ローラを備える。
【発明の効果】
【００２３】
本発明は、以下の有利な作用効果を有する。本発明のピン歯サイクロイド減速機は、スチールベルトまたはスチールワイヤを螺旋状に密に巻き付けて形成された中空ローラを伝動ローラとするため、ピン歯サイクロイド減速機が受けるべき圧力を担持可能であるとともに、中空ローラは、外部圧力を受けたときに、端部が破損しにくく、使用中に軸方向の中心部に向かう変形が生じないため、使用寿命が長くなる。
【図面の簡単な説明】
【００２４】
以下では、図面を参照し、制限的ではなく、例示的な方式で本発明の幾つかの具体的な実施例を詳細に記述する。図面における同じ符号が同じまたは類似する部品または部分を示す。当業者であれば理解できるように、これらの図面が必ずしもスケールに応じて描かれるとは限らない。
【図１】本発明の好適な実施例のピン歯サイクロイド減速機の断面模式図である。
【図２】図１における囲まれた部分の拡大図である。
【図３】長中空ローラは圧力を受けたときに端部が変形する模式図である。
【図４】短中空ローラは圧力を受けたときに端部が変形する模式図である。
【図５ａ】本発明の好適な実施例の伝動ローラの構造模式図である。
【図５ｂ】図５ａのＸ方向に沿う模式図である。
【図６ａ】本発明の別の好適な実施例の伝動ローラの構造模式図である。
【図６ｂ】図６ａのＸ方向に沿う模式図である。
【図７ａ】本発明の別の好適な実施例の伝動ローラの構造模式図である。
【図７ｂ】図７ａのＸ方向に沿う模式図である。
【図８ａ】本発明の別の好適な実施例の伝動ローラの構造模式図である。
【図８ｂ】図８ａのＸ方向に沿う模式図である。
【図９】本発明の好適な実施例の軸受の構造模式図。
【発明を実施するための形態】
【００２５】
本発明の目的、解決手段およびメリットがより明瞭になるように、以下では、図面および具体的な実施例を組み合わせて本発明を詳細に記述する。
【００２６】
ピン歯サイクロイド減速機は、現在、工業ロボットの伝動装置として広く応用されている。特にＲＶ型減速機に代表されるピン歯サイクロイド減速機は、コンパクトな構造および強い伝動能力により、ロボットシステムの最も重要な部品となっている。
【００２７】
図１を参照し、図２も組み合わせると、本発明のピン歯サイクロイド減速機１００の好適な実施形態が示される。ピン歯サイクロイド減速機１００は、主に、中間に位置することでサーボモータ（図示せず）を接続する入力軸（図示せず）と、入力軸の末端に設けられる入力歯車（図示せず）と、入力歯車の周囲に噛合設置される正歯車（図示せず）と、正歯車に固定されるクランク軸１と、クランク軸１に嵌合設置されるサイクロイドディスク２と、クランク軸１とサイクロイドディスク２の間に嵌合設置される軸受３と、ピン歯ハウジング４と、サイクロイドディスク２とピン歯ハウジング４との間に介在したピン歯ユニット５と、サイクロイドディスク２に嵌合設置される出力素子６とを備える。サイクロイドディスク２には、クランク軸１と軸受３とを収容するための貫通孔２１が設けられている。本発明では、ピン歯サイクロイド減速機１００の各部品同士の組立、動作原理等は、何れも第２０１５１０６４０４４２．７号特許を参照可能であるため、ここで繰り返し説明しない。
【００２８】
具体的に、図２に示すように、ピン歯ユニット５は、ピン歯ハウジング４の内側円周方向に沿って均一に分布したピン歯５１を複数含む。本発明では、ピン歯５１として、図４〜図８に示す伝動ローラ７が採用され、伝動ローラ７がある程度の弾性を有する中空ローラ７１を備えるが、それに限定されるものではない。過負荷等の状況に遭ったときに、中空ローラ７１は、圧力を受けたときに僅かに変形収縮して弾性補償を発生するため、サイクロイドディスク２、ピン歯ハウジング４とピン歯ユニット５の各部品間が加工誤差や組立不正確によって過剰な締り嵌めとなることは回避され、または摩耗による過大な隙間は補償される。したがって、加工精度の要求が低減可能であり、摩耗が減少され、ピン歯サイクロイド減速機１００の使用寿命が著しく延長され、精度が維持される。
【００２９】
具体的に、図４〜図８に示すように、伝動ローラ７は、スチールベルト７１２またはスチールワイヤ７１２'を螺旋状に密に巻き付けて形成された中空ローラ７１を備える。「密に巻き付ける」とは、スチールベルト７１２またはスチールワイヤ７１２'を隙間なしで螺旋状に巻き付けることを指す。中空ローラ７１のその軸方向に沿う両端が押圧されたときに、中空ローラ７１の長さは、変化しない。ただし、図４は、単に、伝動ローラ７の軸方向一端の１周のスチールベルト７１２またはスチールワイヤ７１２'を示す。
【００３０】
中空ローラ７１は、外部圧力を受けたときに、端部が破損しにくいとともに、使用中に軸方向の中心部に向かう変形が生じないため、使用寿命が長くなる。詳細には以下のようになる。
【００３１】
図３に示すように、その軸方向に沿って１つの全体となる中空ローラは、長さが長い中空ローラ（以下では、長中空ローラと略称）として理解されてもよい。圧力Ｐが長中空ローラの端部に作用したときに、当該端部は、変形する。具体的に、端部の管壁は、圧力Ｐの作用によって内方へ窪み、図におけるＣＤＥで囲まれる１つのピットをその周囲に形成する。このピットは、ポートにおいて最も深くなり、ポートから一番遠く離れたＤにおいて最も浅くなる。ポートが内方へ窪むことにより、図１における点線で示される曲線が形成される。内壁において、元のＢ点が内方へ窪んだ後、Ａ点に移る。ＡＢ両点の距離は、図３におけるΔで示されており、これは、ここでの最大の変形距離である。
【００３２】
本発明では、スチールベルト７１２またはスチールワイヤ７１２'を螺旋状に密に巻き付けて形成された中空ローラ７１において、中空ローラ７１の軸方向一端の一周のスチールベルト７１２またはスチールワイヤ７１２'が、図４に示す短中空ローラを構成する。圧力Ｐ'が図３における長中空ローラと同じ直径および厚さを有する短中空ローラに作用したときに、短中空ローラに同様に内方へ窪む現象が発生する。図４の点線は、このような場合の変形を示す。適切な圧力Ｐ'の作用により、内壁での元のＢ'点がＡ'に移って下方へΔ'だけ窪む。その際、Δ'＝Δ、即ち、両者の内方へ窪んだ量が同じであっても、変形距離が異なるため、変形の性質が完全に異なることが分かる。
【００３３】
図３に示す長中空ローラに関しては、全長剛性の制限により、変形がポート付近の１つの小円弧状円ＣＤＥ内のみで発生可能であり、Ａ点での管壁形状変化が激しく、曲率半径が非常に小さい。一方で、図４に示す短中空ローラに関しては、長さ方向に大きな制約があまりないため、図４の点線で示される短中空ローラの軸方向に沿う両ポートでの変形曲線がほとんど平行で同じである。周方向に沿うＣ'からＥ'までの非常に長い弧線が変形に関与するため、内壁のＢ'点の凹み量Δ'と図３におけるΔとが等しくなっても、当該点での管壁の形状変化が大きくなく、曲率半径が非常に大きい。曲率半径の変化は、当該箇所で実に変形する度合いを示す。したがって、両者の凹み量が同じであっても、長中空ローラは引き裂かれる恐れがあるが、短中空ローラは安全であり、破損しにくく、使用寿命が長くなる。
【００３４】
上記分析から分かるように、長中空ローラよりも、短中空ローラは、大きな変形を受け止めることができる。したがって、本発明の中空ローラ７１は、伝統的な軸方向に沿って一体となる中空ローラ７１よりも、大きな変形を受け止めることができる。本発明の伝動ローラ７は、長中空ローラの弾性補償作用を発揮可能であるだけでなく、圧力を受けると同時に、破損しにくく、使用寿命が長くなる。
【００３５】
ただし、スチールベルト７１２の厚さと幅は問わない。且つ、スチールワイヤ７１２'の断面は、円形または他の形状であってもよい。コンパクトで密に巻き付ける方式で、伝動ローラ７に必要な剛性を有する中空ローラ７１を形成すればよい。中空ローラ７１の表面がキログラムごとの圧力を受ける度に、径方向に沿う変形量は、２〜５μｍである。
【００３６】
伝動ローラ７とピン歯溝およびサイクロイドディスク２との充分な接触を保証し、接触面積を増加させ、摩耗を減少するために、中空ローラ７１の外周を研磨することで適切な外径サイズおよび必要な清浄度を保証することができる。例えば、中空ローラ７１の外径は、異なる需要に応じるように、１．５ｍｍ〜１０ｍｍである。
【００３７】
中空ローラ７１の管壁の厚さは、中空ローラ７１の外径の１／４〜１／６であり、管壁の厚さは、０．３ｍｍ〜２．５ｍｍである。例えば、中空ローラ７１の外径が６ｍｍであるときに、スチールベルト７１２の厚さまたはスチールワイヤ７１２'のワイヤ径は、１．５ｍｍとなる。または、中空ローラ７１の外径が１０ｍｍであるときに、スチールベルト７１２の厚さまたはスチールワイヤ７１２'のワイヤ径は、２．５ｍｍとなる。または、中空ローラ７１の外径が１．５ｍｍであるときに、スチールベルト７１２の厚さまたはスチールワイヤ７１２'のワイヤ径は、０．３ｍｍとなる。
【００３８】
中空ローラ７１の外径が大きいほど、中空ローラ７１の管壁は、厚くなる。これにより、中空ローラ７１自身は、耐衝撃強度をある程度有すると同時に、大きな外力によって押圧されるときにも、ある程度弾性変形を発生して補償を行うこともできる。中空ローラ７１の管壁は、スチールベルト７１２の厚さに一致し、または、スチールワイヤ７１２'がコンパクトで密に巻き付けられた後で中空ローラ７１の径方向に沿うワイヤ径は、一致する。
【００３９】
更に、図７ａ〜図８ｂに示すように、上記何れか一種の伝動ローラ７は、中空ローラ７１内に位置する内芯体７２を更に備え、中空ローラ７１の内壁面と内芯体７２の外壁面との間には、中空ローラ７１を弾性変形させる隙間Δ''が設けられている。非常に大きな荷重の作用の下、即ち、中空ローラ７１が外部圧力を受けたときに、中空ローラ７１は、内方へ弾性変形して内芯体７２に接触し、内芯体７２は、中空ローラ７１へ巨大な支持力を供給することで負荷衝撃に対する抵抗を強化する。これにより、中空ローラ７１が動作中に異常に巨大な衝撃圧力を受けたときに破壊されないことは、保証可能である。
【００４０】
具体的に、図７ａ〜図７ｂに示すように、内芯体７２は、中実柱体７２ａであり、中実柱体７２ａの耐圧能力が強く、中空ローラ７１が更に変形して構造の破壊を引き起こすことを防止可能である。
【００４１】
または、図８ａ〜図８ｂに示すように、内芯体７２は、スチールワイヤ７１２'または狭くて薄いスチールベルト７１２を螺旋状に密に巻き付けて形成された螺旋ばね７２ｂであり、中空ローラ７１の最後の変形度合いを減少可能である。これにより、伝動ローラ７全体は、力を受けたときに、先に柔らかく、後で硬くなり、最良の補償作用を果たす。
【００４２】
また、中空ローラ７１がスチールワイヤ７１２'または狭くて薄いスチールベルト７１２を螺旋状に密に巻き付けて形成された螺旋ばね状の中空構造であり、且つ内芯体７２もスチールワイヤ７１２'または狭くて薄いスチールベルト７１２を螺旋状に密に巻き付けて形成された螺旋ばね７２ｂであるときに、中空ローラ７１と螺旋ばね７２ｂとの螺旋巻き付け方向は、逆である。通常、中空ローラ７１と前記螺旋ばね７２ｂは、異なる需要に応じるように、異なる幅、厚さの狭くて薄いスチールベルト７１２または異なる直径のスチールワイヤ７１２'を密に巻き付け形成されてもよい。また、中空ローラ７１は、一般的に螺旋ばね７２ｂよりも弾性が大きく、弾性補償を有効に行うことができ、または、螺旋ばね７２ｂは、一般的に中空ローラ７１よりも強度が大きく、より良好な支持作用を果たす。
【００４３】
伝動ローラ７は、中空ローラ７１と内芯体７２とを接着するための弾性接着剤を更に備える。こうして、中空ローラ７１と内芯体７２は、一体となり、勝手にスライドすることができない。例えば、中空ローラ７１の長さは、内芯体７２よりも僅かに短く設定されてもよい。つまり、内芯体７２の両端は、それぞれ中空ローラ７１の両端から突起してもよい。こうして、先端に弾性接着剤を設けて両者を固定することは便利になる。
【００４４】
本発明の上記何れか一種の伝動ローラ７は、更に他の伝動装置に適用可能であり、その構造およびそれが達成できる効果は、上記記述を参照すればよく、ここで繰り返し説明しない。
【００４５】
図９に示すように、本発明の上記各種の伝動ローラ７は、軸受３にも用いられてもよい。当該軸受３は、図１に示す上記ピン歯サイクロイド減速機１００におけるクランク軸１とサイクロイドディスク２の間の軸受３として用いられてもよく、軸受３を設ける必要のある他の伝動装置に適用されてもよい。
【００４６】
図９に示すように、軸受３は、通常、間隔を空けて設けられる外軸受輪３１と内軸受輪３２、および、外軸受輪３１と内軸受輪３２の間に均一に設けられる複数のローラを備える。軸受３のローラ３３は、伝動ローラ７の各種の実施例の設置方式を有してもよく、上実施例における伝動ローラ７の達成可能な効果を奏せる。例えば、当該軸受３は、伝動ローラ７部分に記述されたように、担持率が有効に保証されつつ、軸受３の製造精度が低減可能であり、且つ当該軸受３の使用寿命も有効に改善できる。
【００４７】
ただし、外軸受輪３１、内軸受輪３２のそれぞれには、ローラ３３の外軌道、内軌道が形成され、外軸受輪３１と内軸受輪３２は、独立した構造であってもよく、当該軸受を用いた製品の部分構造であってもよく、部品数を減少してコストを低減可能である一方、誤差の積み重ねも減少する。例えば、軸受３が本発明のピン歯サイクロイド減速機１００に用いられる際、外軸受輪３１、内軸受輪３２もそれぞれサイクロイドディスク２、クランク軸１によって構成される。つまり、サイクロイドディスク２での貫通孔２１の内壁が直接前記外軌道として形成され、クランク軸１のカムの外面が内軌道として形成されるため、ローラ３３は、貫通孔２１の内壁とクランク軸１のカムの外面との間に介在可能である。直接ローラ３３を弾性的に設けることにより、サイクロイドディスク２とクランク軸１の間またはローラ３３自身の製造誤差を相殺し、且つローラ３３の担持効果を良好とすることができる。
【００４８】
ただし、ローラ３３の直径は、内軌道と外軌道の間の隙間よりも僅かに大きく設定される。こうして、静止状態において、ローラ３３は、押し潰されて楕円状でプレストレス状態になり、内軌道と外軌道の間に押圧され、１つの空きもない。これにより、過負荷によって破壊されるローラ３３がないとともに、内軌道と外軌道の表面も有効に保護される。
【００４９】
このように、本発明の伝動ローラ７は、スチールベルト７１２またはスチールワイヤ７１２'を螺旋状に密に巻き付けて形成された中空ローラ７１を備え、外部圧力を受けたときに、端部が破損しにくく、使用中に軸方向の中心部に向かう変形が生じないため、使用寿命が長くなる。更に、ピン歯サイクロイド減速機、軸受等の伝動装置の使用寿命が向上する。
【００５０】
本発明のピン歯サイクロイド減速機、軸受は、スチールベルト７１２またはスチールワイヤ７１２'を螺旋状に密に巻き付けて形成された中空ローラ７１を伝動ローラ７とするため、ピン歯サイクロイド減速機、軸受が受けるべき圧力を担持可能であるとともに、中空ローラ７１が外部圧力を受けたときに、端部が破損しにくく、使用中に軸方向の中心部に向かう変形が生じないため、使用寿命が長くなり、更に、ピン歯サイクロイド減速機、軸受等の伝動装置の使用寿命も向上する。
【００５１】
以上の実施例は本発明の技術案を制限するためのものではなく、単に説明するためのものに過ぎない。好適な実施例を参照して本発明を詳細に説明したが、当業者であれば理解できるように、本発明の技術案の精神と範囲を逸脱せずに、本発明の技術案に対して補正や均等物による置換を行うことが可能である。
【図１】
2021517954.tif 000003
【図２】
2021517954.tif 000004
【図３】
2021517954.tif 000005
【図４】
2021517954.tif 000006
【図５ａ】
2021517954.tif 000007
【図５ｂ】
2021517954.tif 000008
【図６ａ】
2021517954.tif 000009
【図６ｂ】
2021517954.tif 000010
【図７ａ】
2021517954.tif 000011
【図７ｂ】
2021517954.tif 000012
【図８ａ】
2021517954.tif 000013
【図８ｂ】
2021517954.tif 000014
【図９】
2021517954.tif 000015
【国際調査報告】
2021517954.tif 000016
2021517954.tif 000017
2021517954.tif 000018
2021517954.tif 000019